(57)【要約】【課題】無線通信媒体から読み取った情報を専用の通信装置を用いることなく外部装置へ送信可能とする読取装置を提供する。【解決手段】読取装置１０は、非接触で供給される電力により作動して記憶情報を無線送信可能に構成された無線通信媒体としてのＩＣカード５０からその記憶情報をアンテナ２０を介して読み取り、読み取った記憶情報を表す二次元コードを作成してディスプレイ３０に表示する。このため、本読取装置１０の利用者は、二次元コードの読取機能を有する通信機器（例えば携帯電話機やパーソナルコンピュータ）を用いることにより、ＩＣカード５０から読み取った記憶情報を専用の通信装置を用いることなく外部の装置へ送信することができる。【選択図】図１
2007207095.tif 000002
【特許請求の範囲】
【請求項１】
非接触で供給される電力により作動して記憶情報を無線送信可能に構成された無線通信媒体から前記記憶情報を読み取る読取手段と、
前記読取手段により読み取られた前記記憶情報を表す二次元コードを作成するコード作成手段と、
前記コード作成手段により作成された二次元コードを表示する表示手段と、
を備えたことを特徴とする読取装置。
【請求項２】
情報を記憶する記憶手段を備え、
前記コード作成手段は、前記読取手段により読み取られた前記記憶情報を前記記憶手段にいったん記憶させ、表示タイミングが到来したと判断した時点で前記記憶手段に記憶されている１又は複数の前記記憶情報を表す１つの二次元コードを作成すること
を特徴とする請求項１に記載の読取装置。
【請求項３】
前記コード作成手段は、前記読取手段により読み取られた前記記憶情報が特定の情報である場合に、前記表示タイミングが到来したと判断すること
を特徴とする請求項２に記載の読取装置。
【請求項４】
前記コード作成手段により二次元コードが作成された場合に、前記記憶手段に記憶されている前記記憶情報を消去する消去手段を備えていること
を特徴とする請求項２又は請求項３に記載の読取装置。
【請求項５】
前記コード作成手段は、前記読取手段により読み取られた前記記憶情報とその記憶情報に関する付加情報とを表す二次元コードを作成すること
を特徴とする請求項１から請求項４までのいずれか１項に記載の読取装置。
【請求項６】
非接触で供給される電力により作動して記憶情報を無線送信可能に構成されるとともにその記憶情報を無線通信により書換可能に構成された無電源記憶送信手段を備えていること
を特徴とする請求項１から請求項５までのいずれか１項に記載の読取装置。
【請求項７】
前記コード作成手段は、前記読取手段により読み取られた前記無電源記憶送信手段の記憶情報に応じて二次元コードの表す内容を変更すること
を特徴とする請求項６に記載の読取装置。
【発明の詳細な説明】
【技術分野】
【０００１】
本発明は、非接触で供給される電力により作動して記憶情報を無線送信可能に構成された無線通信媒体との間で無線通信を行う読取装置に関するものである。
【背景技術】
【０００２】
従来、非接触で供給される電力により作動して記憶情報を無線送信可能に構成された無線通信媒体との間で無線通信を行う技術（ＲＦＩＤ：Ｒａｄｉｏ  Ｆｒｅｑｕｅｎｃｙ  Ｉｄｅｎｔｉｆｉｃａｔｉｏｎ）が知られている。無線通信媒体としては、ＩＣチップ及びアンテナが内蔵されたカードやタグ等が一般に用いられており、例えば、定期券としてのＩＣカードを自動改札機の上にかざすだけで改札を通過できるようにしたシステムが実用化されている。
【０００３】
なお、上述した内容は公知・公用の技術であり、出願人は特に先行技術調査を行っていないため、先行技術文献の開示については行わない。
【発明の開示】
【発明が解決しようとする課題】
【０００４】
ところで、ＲＦＩＤの読取装置が無線通信媒体から読み取った情報を外部の装置へ送信するためには、専用の通信装置を読取装置に内蔵する必要があり、読取装置の大型化や高コスト化を招くという問題があった。
【０００５】
本発明は、こうした問題にかんがみてなされたものであり、無線通信媒体から読み取った情報を専用の通信装置を用いることなく外部装置へ送信可能とする読取装置を提供することを目的としている。
【課題を解決するための手段】
【０００６】
上記目的を達成するためになされた本発明の請求項１に記載の読取装置は、非接触で供給される電力により作動して記憶情報を無線送信可能に構成された無線通信媒体からその記憶情報を読み取る読取手段と、読取手段により読み取られた記憶情報を表す二次元コードを作成するコード作成手段と、コード作成手段により作成された二次元コードを表示する表示手段と、を備えたことを特徴としている。
【０００７】
このような構成の読取装置によれば、二次元コードの読取機能を有する通信機器（例えば携帯電話機やパーソナルコンピュータ）を用いることにより、無線通信媒体から読み取った記憶情報を専用の通信装置を用いることなく外部の装置へ送信することができる。
【０００８】
ここで、無線通信媒体から記憶情報を読み取る度に二次元コードを作成して表示する構成では、複数の無線通信媒体から読み取った記憶情報を共通の外部装置へ送信する場合であっても、二次元コードの読み取り操作を複数回行わなければならなくなり、操作が煩雑となる。
【０００９】
そこで、請求項２に記載の読取装置は、上記請求項１に記載の読取装置において、情報を記憶する記憶手段を備え、コード作成手段は、読取手段により読み取られた記憶情報を記憶手段にいったん記憶させ、表示タイミングが到来したと判断した時点で記憶手段に記憶されている１又は複数の記憶情報を表す１つの二次元コードを作成することを特徴としている。
【００１０】
このような構成の読取装置によれば、複数の無線通信媒体についての記憶情報を１つの二次元コードにまとめることができる。この結果、二次元コードの読み取り操作を行う回数を少なくすることができる。
【００１１】
ところで、上述した表示タイミングとしては、例えば、周期的（例えば所定時刻や一定時間ごと）とすることも考えられるが、利用者が任意のタイミングを指示する構成とすると便利である。ここで、利用者によるタイミングの指示は、例えばボタン等の押し操作により行うことももちろん可能であるが、ボタン等の操作部を用いることなくタイミングの指示を入力するためには請求項３のように構成するとよい。
【００１２】
すなわち、請求項３に記載の読取装置は、上記請求項２に記載の読取装置において、コード作成手段は、読取手段により読み取られた記憶情報が特定の情報である場合に、表示タイミングが到来したと判断することを特徴としている。
【００１３】
つまり、特定の無線通信媒体を検出した場合に、表示タイミングの指示が行われたと判断するのである。この構成によれば、ボタン等の操作部を用いることなく、利用者によるタイミングの指示を入力することができる。しかも、特定の無線通信媒体を特定の場所に設置しておけば、記憶情報の送信を行おうとする者は、その場所に足を運ばない限り情報を送信できないこととなるため、情報送信者の管理（不正防止等）に利用することもできる。
【００１４】
また、請求項４に記載の読取装置は、上記請求項２又は３に記載の読取装置において、コード作成手段により二次元コードが作成された場合に、記憶手段に記憶されている記憶情報を消去する消去手段を備えていることを特徴としている。
【００１５】
この構成によれば、既に二次元コードとして表示された記憶情報が記憶手段に残存することを防ぐことができる。
さらに、請求項５に記載の読取装置は、上記請求項１〜４のいずれかに記載の読取装置において、コード作成手段は、読取手段により読み取られた記憶情報とその記憶情報に関する付加情報とを表す二次元コードを作成することを特徴としている。
【００１６】
この構成によれば、情報の送信先となる外部装置に対して利便性の高い情報を提供することができる。すなわち、例えば、読取手段により記憶情報が読み取られた時刻を付加情報とすれば、どの無線通信媒体が何時に検出されたかを把握することが可能となり、タイムカードのように利用することができる。また、例えば、読取装置の識別情報を付加情報とすれば、複数の読取装置を管理する場合に有効である。
【００１７】
一方、請求項６に記載の読取装置は、上記請求項１〜５のいずれかに記載の読取装置において、非接触で供給される電力により作動して記憶情報を無線送信可能に構成されるとともにその記憶情報を無線通信により書換可能に構成された無電源記憶送信手段を備えていることを特徴としている。
【００１８】
この構成によれば、無電源記憶送信手段に情報を記憶させたり、無電源記憶送信手段の記憶情報に基づき処理を行ったりすることが可能となる。しかも、無電源記憶送信手段の記憶情報は、読取装置の電源がオフの状態であっても外部から書き換えることができるため、製造過程における記憶情報の書き込みや、電源が無い状況での記憶情報の書き換え等が可能となり利便性が高い。
【００１９】
特に、請求項７に記載のように、コード作成手段が、読取手段により読み取られた無電源記憶送信手段の記憶情報に応じて二次元コードの表す内容を変更する構成であれば、製造過程や電源が無い状況においても容易に設定を変更することができる。
【００２０】
なお、無電源記憶送信手段自体を交換可能に構成してもよい。
【発明を実施するための最良の形態】
【００２１】
以下、本発明が適用された実施形態について、図面を用いて説明する。
図１は、第１実施形態の読取装置１０の構成を表す説明図であり、（ａ）は外観図、（ｂ）は電気的構成を表すブロック図である。
【００２２】
この読取装置１０は、アンテナコイル５１及びＩＣチップ５２が内蔵された無線通信媒体としてのＩＣカード（いわゆる非接触型ＩＣカード）５０から記憶情報を読み取るためのものである。このため、読取装置１０には、図１（ａ）の外観図に示すように、ＩＣカード５０を近接させる位置となる通信部２１が形成されている。また、この読取装置１０には、ＩＣカード５０の記憶情報を二次元コード（本実施形態ではＱＲコード（登録商標））の形で表示するディスプレイ３０が設けられている。
【００２３】
具体的には、図１（ｂ）のブロック図に示すように、読取装置１０は、アンテナ（送受信部）２０と、上述したディスプレイ（表示部）３０と、ＣＰＵ４１、ＲＯＭ４２、ＲＡＭ４３等を有した制御部４０とを備えている。アンテナ２０は、通信部２１の内側に配置されており、通信部２１に近接しているＩＣカード５０との間での無線通信を可能とする。
【００２４】
次に、ＲＯＭ４２にあらかじめ記憶されているプログラムに従いＣＰＵ４１が実行する二次元コード表示処理について、図２のフローチャートを用いて説明する。なお、二次元コード表示処理は、読取装置１０の電源がオンされることにより開始される。
【００２５】
この二次元コード表示処理が開始されると、まず、Ｓ１０１で、アンテナ２０を介して通信可能なＩＣカード５０が存在するか否か（換言すれば、通信部２１に近接する位置にＩＣカード５０が存在するか否か）を判定し、ＩＣカード５０が存在すると判定した場合にＳ１０２へ移行する。
【００２６】
Ｓ１０２では、Ｓ１０１で検出したＩＣカード５０から情報（ＩＣカード５０に記憶されている所定の情報（例えば識別情報））を読み取る処理を行う。
続いて、Ｓ１０３では、Ｓ１０２で読み取った情報に基づき、Ｓ１０１で検出したＩＣカード５０が、二次元コードの表示を要求するためのＩＣカード５０（以下「送信用カード」という。）であるか否かを判定する。すなわち、本実施形態の読取装置１０は、ＩＣカード５０から読み取った情報が特定の情報（送信用カード特有の情報）である場合に、そのＩＣカード５０が送信用カードであり、二次元コードの表示タイミングが到来したと判断する。
【００２７】
そして、Ｓ１０３で、送信用カードでないと判定した場合には、Ｓ１０４へ移行し、Ｓ１０２で読み取った情報及び現在の時刻（制御部４０において計時されている時刻）を対応させて表示用情報としてＲＡＭ４３に記憶させた後、Ｓ１０１に戻る。ここで、既にＲＡＭ４３に記憶されている表示用情報が存在している場合には、その表示用情報を残したまま新たな表示用情報を記憶させる。つまり、ＩＣカード５０を検出するごとに表示用情報を蓄積するようにしている。
【００２８】
一方、Ｓ１０３で、送信用カードであると判定した場合には、Ｓ１０５へ移行し、ＲＡＭ４３に記憶（蓄積）されている１又は複数の表示用情報を表す１つの二次元コードを作成する。
【００２９】
続いて、Ｓ１０６では、Ｓ１０５で作成した二次元コードを一定時間（例えば３分間）ディスプレイ３０に表示させる処理を行う。
続いて、Ｓ１０７では、ＲＡＭ４３に記憶（蓄積）されている表示用情報を消去する。その後、Ｓ１０１に戻る。
【００３０】
以上説明したように、本第１実施形態の読取装置１０は、ＩＣカード５０から記憶情報を読み取り（Ｓ１０１：ＹＥＳ，Ｓ１０２）、その記憶情報を表す二次元コードを作成してディスプレイ３０に表示する（Ｓ１０５，Ｓ１０６）。このため、本読取装置１０の利用者は、二次元コードの読取機能を有する通信機器（例えば携帯電話機やパーソナルコンピュータ）を用いることにより、ＩＣカード５０から読み取った記憶情報を専用の通信装置を用いることなく外部の装置へ送信することができる。
【００３１】
また、本読取装置１０は、ＩＣカード５０から読み取った記憶情報をＲＡＭ４３にいったん記憶させ（Ｓ１０４）、利用者により指示されたタイミングでＲＡＭ４３に記憶されている１又は複数の記憶情報を表す１つの二次元コードを作成する（Ｓ１０３：ＹＥＳ，Ｓ１０５）。このため、本読取装置１０によれば、複数のＩＣカード５０についての記憶情報を１つの二次元コードにまとめることができる。この結果、二次元コードの読み取り操作を行う回数を少なくすることができる。特に、本読取装置１０は、特定のＩＣカード５０である送信用カードを検出した場合に、表示タイミングの指示が行われたと判断するようにしているため、ボタン等の操作部を用いることなく、利用者によるタイミングの指示を入力することができる。しかも、送信用カードを特定の場所に設置しておけば、情報の送信を行おうとする者は、その場所に足を運ばない限り情報を送信できないこととなるため、情報送信者の管理（例えば、客先等に訪問していないにもかかわらず訪問したと報告するといった不正の防止）に利用することもできる。
【００３２】
さらに、本読取装置１０は、二次元コードを作成した場合に、ＲＡＭ４３に記憶されている記憶情報を消去する（Ｓ１０７）。このため、既に二次元コードとして表示された記憶情報がＲＡＭ４３に残存することを防ぐことができる。
【００３３】
一方、本読取装置１０は、ＩＣカード５０から読み取った記憶情報に加え、読み取り時刻を含めた情報を表す二次元コードを作成するようにしているため、情報の送信先となる外部装置に対して利便性の高い情報を提供することができる。すなわち、外部装置では、どのＩＣカード５０が何時に検出されたかを把握することができ、タイムカードのような利用が可能となる。
【００３４】
なお、上記第１実施形態の読取装置１０は、ＩＣカード５０から読み取った記憶情報のみならず、読み取り時刻を付加情報として加えているが、これに限ったものではない。例えば、読取装置１０の識別情報を付加情報として加えてもよい。また、付加情報を加えない構成とすることも可能である。
【００３５】
一方、上記第１実施形態の読取装置１０では、ＲＡＭ４３が、本発明の記憶手段に相当し、アンテナ２０と、二次元コード表示処理（図２）におけるＳ１０２の処理を実行するＣＰＵ４１とが、本発明の読取手段に相当し、Ｓ１０３〜Ｓ１０５の処理を実行するＣＰＵ４１が、本発明のコード作成手段に相当し、ディスプレイ３０と、Ｓ１０６の処理を実行するＣＰＵ４１とが、本発明の表示手段に相当し、Ｓ１０７の処理を実行するＣＰＵ４１が、本発明の消去手段に相当する。
【００３６】
次に、第２実施形態について説明する。
図３は、第２実施形態の読取装置６０の電気的構成を表すブロック図である。
同図に示すように、第２実施形態の読取装置６０は、第１実施形態の読取装置１０（図１（ｂ））と比較すると、ＩＣタグ７０が内蔵されている点が異なる。その他、第１実施形態の読取装置１０と共通のハードウェア構成については、同一の符号を付して説明を省略する。
【００３７】
ＩＣタグ７０は、アンテナコイル７１と、記憶情報の書き換えが可能なＩＣチップ７２とが内蔵されたものである。
次に、ＲＯＭ４２にあらかじめ記憶されているプログラムに従いＣＰＵ４１が実行する二次元コード表示処理について、図４のフローチャートを用いて説明する。なお、本二次元コード表示処理におけるＳ２０３〜Ｓ２０５，Ｓ２０７〜Ｓ２０９の各処理内容は、上記第１実施形態の二次元コード表示処理（図２）におけるＳ１０１〜Ｓ１０３，Ｓ１０５〜Ｓ１０７の各処理内容と同一である。
【００３８】
この二次元コード表示処理が開始されると、まず、Ｓ２０１で、内蔵のＩＣタグ７０に記憶されている情報を読み取り、その情報に従い表示用情報の内容を設定する。すなわち、ＩＣタグ７０には、二次元コードとして表示する表示用情報として、ＩＣカード５０から読み取った記憶情報に加える付加情報の種類（現在時刻、読取装置の識別情報等）が記憶されており、本第２実施形態の読取装置は、この情報に従い付加情報の種類を設定する。
【００３９】
続いて、Ｓ２０３では、アンテナ２０を介して通信可能なＩＣカード５０が存在するか否か（換言すれば、通信部２１に近接する位置にＩＣカード５０が存在するか否か）を判定する。
【００４０】
そして、Ｓ２０３で、ＩＣカード５０が存在しないと判定した場合には、Ｓ２０１へ戻る。
一方、Ｓ２０３で、ＩＣカード５０が存在すると判定した場合には、Ｓ２０４へ移行し、Ｓ２０３で検出したＩＣカード５０から情報を読み取る処理を行う。
【００４１】
続いて、Ｓ２０５では、Ｓ２０４で読み取った情報に基づき、Ｓ２０３で検出したＩＣカード５０が、二次元コードの表示を要求するためのＩＣカード５０である送信用カードであるか否かを判定する。
【００４２】
そして、Ｓ２０５で、送信用カードでないと判定した場合には、Ｓ２０６へ移行し、Ｓ２０４で読み取った情報及びＳ２０２で設定した付加情報を対応させて表示用情報としてＲＡＭ４３に記憶させた後、Ｓ２０１に戻る。ここで、既にＲＡＭ４３に記憶されている表示用情報が存在している場合には、その表示用情報を残したまま新たな表示用情報を記憶させる。つまり、ＩＣカード５０を検出するごとに表示用情報を蓄積するようにしている。
【００４３】
一方、Ｓ２０５で、送信用カードであると判定した場合には、Ｓ２０７へ移行し、ＲＡＭ４３に記憶（蓄積）されている１又は複数の表示用情報を表す１つの二次元コードを作成する。
【００４４】
続いて、Ｓ２０８では、Ｓ２０７で作成した二次元コードを一定時間（例えば３分間）ディスプレイ３０に表示させる処理を行う。
続いて、Ｓ２０９では、ＲＡＭ４３に記憶（蓄積）されている表示用情報を消去する。その後、Ｓ２０１に戻る。
【００４５】
以上説明したように、本第２実施形態の読取装置６０によれば、上記第１実施形態の読取装置１０と同様の効果に加え、次の効果を奏する。
すなわち、本第２実施形態の読取装置６０は、非接触で供給される電力により作動して記憶情報を無線送信可能に構成されるとともにその記憶情報を無線通信により書換可能に構成されたＩＣタグ７０を内蔵している。このため、ＩＣタグ７０に情報を記憶させたり、ＩＣタグ７０の記憶情報に基づき処理を行ったりすることが可能となる。特に、ＩＣタグ７０の記憶情報は、読取装置６０の電源がオフの状態であっても外部から書き換えることができるため、製造過程における記憶情報の書き込みや、電源が無い状況での記憶情報の書き換え等が可能となり利便性が高い。
【００４６】
なお、上記第２実施形態の読取装置６０は、ＩＣタグ７０から読み取った情報に基づき付加情報の種類を設定するようにしているが、これに限ったものではなく、これ以外の設定を行うようにしてもよい。例えば、ＩＣタグ７０から読み取った情報に基づき、二次元コードを表示するタイミングを設定したり、情報の送信先を設定したり、ＩＣカード５０から読み出す情報の種類を設定したりすることが可能である。また、ＩＣタグ７０に、ＣＰＵ４１が実行するプログラム自体を記憶させるようにしてもよい。
【００４７】
また、上記第２実施形態の読取装置６０は、ＩＣタグ７０を内蔵しているが、このＩＣタグ７０は独立した構成のため、必ずしも内蔵しておく必要はなく、容易に交換（着脱）可能な構成にすることも可能である。
【００４８】
一方、上記第２実施形態の読取装置６０では、ＲＡＭ４３が、本発明の記憶手段に相当し、ＩＣタグ７０が、本発明の無電源記憶送信手段に相当し、アンテナ２０と、二次元コード表示処理（図４）におけるＳ２０４の処理を実行するＣＰＵ４１とが、本発明の読取手段に相当し、Ｓ２０１，Ｓ２０２，Ｓ２０５〜Ｓ２０７の処理を実行するＣＰＵ４１が、本発明のコード作成手段に相当し、ディスプレイ３０と、Ｓ２０８の処理を実行するＣＰＵ４１とが、本発明の表示手段に相当し、Ｓ２０９の処理を実行するＣＰＵ４１が、本発明の消去手段に相当する。
【００４９】
以上、本発明の一実施形態について説明したが、本発明は、種々の形態を採り得ることは言うまでもない。
例えば、上記各実施形態の読取装置１０，６０では、読み取り対象の無線通信媒体としてＩＣカードを例示しているが、これに限ったものではなく、ＩＣタグ等の無線通信媒体であってもよい。
【００５０】
また、上記各実施形態の読取装置１０，６０では、二次元コードを一定時間表示するようにしているが（Ｓ１０６，Ｓ２０８）、これに限ったものではなく、例えば、利用者の指示があるまで表示し続ける構成としてもよい。
【００５１】
さらに、上記各実施形態の読取装置１０，６０では、二次元コードを表示した後にＲＡＭ４３に記憶されている表示用情報を消去するようにしているが（Ｓ１０７，Ｓ２０９）、これに限ったものではなく、例えば、利用者の指示があるまでは記憶し続ける構成としてもよい。
【００５２】
一方、上記各実施形態の読取装置１０，６０は、送信用カードを検出した場合に二次元コードを作成して表示するようにしているが（Ｓ１０３，Ｓ２０５）、これに限ったものではない。例えば、ボタン等の操作部（操作手段）を備え、利用者による入力操作に基づき表示タイミングの指示を判断するように構成してもよい。また、所定時刻や一定時間ごとに二次元コードを作成して表示する構成としてもよい。一方、ＩＣカード５０を検出するごとに二次元コードを作成して表示する構成とすることも可能である。
【図面の簡単な説明】
【００５３】
【図１】第１実施形態の読取装置の構成を表す説明図である。
【図２】第１実施形態の読取装置において実行される二次元コード表示処理のフローチャートである。
【図３】第２実施形態の読取装置の電気的構成を表すブロック図である。
【図４】第２実施形態の読取装置において実行される二次元コード表示処理のフローチャートである。
【符号の説明】
【００５４】
１０，６０…読取装置、２０…アンテナ、２１…通信部、３０…ディスプレイ、４０…制御部、４１…ＣＰＵ、４２…ＲＯＭ、４３…ＲＡＭ、５０…ＩＣカード、７０…ＩＣタグ、７１…アンテナコイル、７２…ＩＣチップ
【図１】
2007207095.tif 000003
【図２】
2007207095.tif 000004
【図３】
2007207095.tif 000005
【図４】
2007207095.tif 000006